(57)【要約】 【課題】  外鞘管２と内挿管１とで構成し、内挿管１の差込み深さで管路接続長が調整され、差込部分が密封されるシール機構部２３を備え、外鞘管２と内挿管１の各外側端部に適宜な管接続部２２，６２を設けた伸縮管継手において、継手長さを決定し外鞘管２と内挿管１の固定作業を容易にする。【解決手段】  外鞘管２と内挿管１の外周面適宜位置に、位置固定用の棒ボルト３を装着する連結突部１３，２４を突設すると共に、前記連結突部１３，２４に棒ボルト３が通過可能な開口部１３１，２４１と、前記開口部と連通し且つ開口部幅より大径の装着孔部１３２，２４２を設け、前記連結突部に装着された棒ボルトを装着孔部に密嵌する筒部４１を付設したナット４ａ，４ｂを用いて挟持固定してなる。【選択図】図２
2018025245.tif 000002
【特許請求の範囲】
【請求項１】
外鞘管と内挿管とで構成し、内挿管の差込み深さで管路接続長が調整され、差込部分が密封されるシール機構部を備え、外鞘管と内挿管の各外側端部に適宜な管接続部を設けた管長調整継手であって、外鞘管と内挿管の外周面適宜位置に、位置固定用の棒ボルトを装着する連結突部を突設すると共に、前記連結突部に棒ボルトが通過可能な開口部と、前記開口部と連通し且つ開口部幅より大径の装着孔部を設け、前記連結突部に装着された棒ボルトを装着孔部に密嵌する筒部を付設したナットを用いて挟持固定してなることを特徴とする管長調整継手。
【請求項２】
内挿管の管接続部を差込回動係止型の継手構造とし、外鞘管の管接続部を前記内挿管の継手構造に対応する係止突部を周設して形成してなると共に、シール機構部を、外鞘管の内側端部内周面にパッキンを設けて構成した請求項１記載の管長調整継手。
【請求項３】
シール機構部が、外鞘管の内側端部に設けた連結突部を兼ねる鞘管フランジと、内挿管外周に配置したＯリングと、前記鞘管フランジに対面してＯリングを挟圧する止水輪板とで構成すると共に、鞘管フランジと止水輪板に所定間隔で前記挟圧のための連結透孔を周設すると共に、止水輪板に鞘管フランジの開口部及び装着孔部と対応する開口部及び装着孔部を設けてなる請求項１記載の管長調整継手。
【発明の詳細な説明】
【技術分野】
【０００１】
本発明は、管の接続部分の管路長の調整を可能とした管長調整継手に関するものである。
【背景技術】
【０００２】
管長調整継手として種々の構造が知られているが、本発明は、特に外鞘管と内挿管で構成され、その差込み深さで管路接続長を調整するスリーブタイプのものに係る。
【０００３】
スリーブタイプの管長調整継手は、外鞘管及び内挿管に各々設けた連結突出部（接続管とのフランジ接続を行うための接合フランジを兼ねている場合が多い）に各々連結用透孔を形成し、両連結用透孔に棒ボルトを貫通装着すると共に、連結用透孔の表裏に固定用ナットを配して螺合し、前記棒ボルトを固定することで内挿管の差込深さを設定している。
【０００４】
特に特許文献１には、前記連結突出部が接続管との接合フランジを兼ねると装着距離が長くなり、貫通ボルト（棒ボルト）の連結用透孔との孔合わせが煩瑣であるとして、外鞘管の連結突出部を接合フランジとは別に設け、管継手全長に渡っていた貫通ボルトを短くすることで作業性を向上する提案が開示されている。
【０００５】
また特許文献２には、内挿管の外周適宜位置に小鍔部を設け、前記小鍔部を挟んで軸合わせ回動可能なストッパリング（二分割）に貫通ボルトを挿通固定して、貫通ボルトの孔合わせを容易にすることが提案されている。
【先行技術文献】
【特許文献】
【０００６】
【特許文献１】特開２０００−１５４８９４号公報。
【特許文献２】実用新案登録２５６４３４０号公報。
【発明の概要】
【発明が解決しようとする課題】
【０００７】
上記した管長調整継手は、いずれにしても管接続のために貫通ボルトを離れた位置の接合フランジの各連結用透孔を貫通装着する必要があり、管継手の全長を長くすると当然貫通ボルトも長くなり、前記の接合フランジの連結用透孔との孔合わせ作業が煩瑣になってしまう。
【０００８】
そこで本発明は、貫通ボルトを採用せずに、棒ボルトを外装組み込み可能とした新規な管継手を提案したものである。
【課題を解決するための手段】
【０００９】
本発明の請求項１記載に係る管長調整継手は、外鞘管と内挿管とで構成し、内挿管の差込み深さで管路接続長が調整され、差込部分が密封されるシール機構部を備え、外鞘管と内挿管の各外側端部に適宜な管接続部を設けた管長調整継手であって、外鞘管と内挿管の外周面適宜位置に、位置固定用の棒ボルトを装着する連結突部を突設すると共に、前記連結突部に棒ボルトが通過可能な開口部と、前記開口部と連通し且つ開口部幅より大径の装着孔部を設け、前記連結突部に装着された棒ボルトを装着孔部に密嵌する筒部を付設したナットを用いて挟持固定してなることを特徴とするものである。
【００１０】
前記の継手は、外鞘管への内挿管の差込深さの設定で所望の継手長が得られるもので、外鞘管と内挿管の各外側端部の管接続部を使用して接続対象管と接続して所定の管路を構成し、外鞘管と内挿管を当該位置で固定する。この固定は、所定位置に調整した各連結突部の装着孔部に開口部から棒ボルトを差し入れ、棒ボルトに螺装したナットで各連結突部を挟圧してなされるものである。特にナットの筒部が装着孔部に密嵌することで、棒ボルトが装着孔部から抜け出る（外れる）ことを防止している。
【００１１】
本発明の請求項２記載に係る管長調整継手は、内挿管の管接続部を差込回動係止型の継手構造とし、外鞘管の管接続部を前記内挿管の継手構造に対応する係止突部を周設して形成してなると共に、シール機構部を、外鞘管の内側端部内周面にパッキンを設けて構成したもので、差込回動係止によって接続する管路（特許４０３３２５４号）を形成する既存管（但し係止突部を備えない）を内挿管として採用でき、前記の既存管による管路形成に際しての管路長調整が容易である。
【００１２】
また本発明の請求項３記載に係る管長調整継手は、シール機構部が、外鞘管の内側端部に設けた連結突部を兼ねる鞘管フランジと、内挿管外周に配置したＯリングと、前記鞘管フランジに対面してＯリングを挟圧する止水輪板とで構成すると共に、鞘管フランジと止水輪板に所定間隔で前記挟圧のための連結透孔を周設すると共に、止水輪板に鞘管フランジの開口部及び装着孔部と対応する開口部及び装着孔部を設けてなるものである。
【００１３】
而して前記構成は内挿管の連結突部と外鞘管の鞘管フランジ（連結突部）の固定位置で継手長の調整はなされるが、当該位置の鞘管フランジに対してＯリングを挟んで止水リングを対面させ、前記の継手長の固定手段に合わせ、更に連結透孔に装着した連結ボルト・ナットの緊締で内挿管と外鞘管の確実なシールを実現するものである。
【発明の効果】
【００１４】
本発明の構成は上記のとおり管長調整継手において内挿管と外鞘管の位置決め（固定）をなす棒ボルトを、各連結突部の外周方向から差し入れるようにし、前記の位置決め作業を簡素化したものである。
【図面の簡単な説明】
【００１５】
【図１】本発明の第一実施形態の分解図（正面図）。
【図２】同固定作業の説明図（正面図）。
【図３】同側面図。
【図４】同要部（連結突部）の一部拡大斜視図。
【図５】同第二実施形態の分解図（正面図）。
【図６】同固定作業の説明図（正面図）。
【図７】同側面図。
【発明を実施するための形態】
【００１６】
次に本発明の実施形態について説明する。図１乃至４は本発明の第一実施形態を示したもので、内挿管１と内挿管１が一方の開口端（内側端）から差し込まれる外鞘管２と、両者を所定位置で固定するための棒ボルト３及び棒ボルト３に螺合される二種類のナット４ａ，４ｂとで構成される。
【００１７】
内挿管１は、管本体１１と、管接続部１２と、外鞘管２との位置固定のための連結突部１３を備えている。
【００１８】
管本体１１は、管継手の使用対象の管路と同一径管で、一方の端部（外側端）に管接続部１２が設けられており、更に外側端近傍に連結突部１３を外周方向に突設してなる。
【００１９】
管接続部１２は、本出願人の提案に係る特許４０３３２５４号に示した差込回動係止型の継手構造で、内周面に係合凹条部１２１と、シール収納凹条部１２２とを設け、係合凹条部１２１の開口端側の一部を切欠して開口端切欠部１２３を形成したものである。
【００２０】
係合凹条部１２１及び開口端切欠部１２３は、連結対象の接続管の係止突部（図示せず。後述する外鞘管２の管接続部２２の係止突部２２２と同一構造である）と対応するように形成したもので、前記係止突部が係合凹条部１２１内に位置することによって、互いの係止により、連結対象の接続管の抜けを防止しているものである。またシール収納凹条部１２２は、係合凹条部１２１の奥方に設けたもので、リングシール１２４を内装してなる。
【００２１】
連結突部１３は、三角フランジ状で外側端近傍に突設したもので、各三角頂部（１２０度間隔）に外周側へ開いた開口部１３１と、前記開口部１３１と連通し且つ開口部１３１の幅より大径の装着孔部１３２を設けたものである。特に開口部１３１の開口幅は棒ボルト３の通過が可能となるように設けたものである。
【００２２】
外鞘管２は、管本体２１と、管接続部２２と、シール機構部２３と、内挿管１の差込深さの固定のための連結突部２４を備えている。
【００２３】
管本体２１は内挿管１の管本体１１が挿入され得る径を備え、外側端に管接続部２２を設け、内側端にシール機構部２３を設けたものである。管接続部２２は、管本体２１と一体に接続（溶接）した接続管２２１と、接続管２２１の外周に設けた係止突部２２２で形成され、前記係止突部２２２は、前述した係合凹条部１２１及び開口端切欠部１２３と対応する位置及び大きさに設けたものである。
【００２４】
またシール機構部２３は、内方にシール装着凹部２３１を設けた外被筒部２３２を管本体２１の内側端に接続（溶接）し、前記シール装着凹部２３１に、横Ｕ字断面のリングシール２３３を嵌合装着したものである。
【００２５】
更に管本体２１の内側端近傍には、内挿管１の連結突部１３と同様の開口部２４１と、装着孔部２４２を備えた連結突部２４を設けたものである。
【００２６】
棒ボルト３は、内挿管１と外鞘管２との差込可能長さに対応し、ナット４ａ，４ｂは前記棒ボルト３に螺合し、その各一組で各連結突部１３，２４を緊締挟圧するもので、特に一方のナット４ａは、装着孔部１３２，２４２に密嵌し且つ連結突部１３，２４の厚さより短い突出長とした筒部４１を備えたものである。
【００２７】
而して上記構成の管長調整継手は、外鞘管２への内挿管１の差込深さの設定で所望の継手長が得られるもので、所望長の位置で連結突部１３，２４の突出方向（回動調整による）を一致させ、ナット４ａ，４ｂは、連結突部１３，２４を各々挟む位置に予め棒ボルト３に螺合させておく。
【００２８】
次に棒ボルト３を開口部１３１，２４１から装着孔部１３２，２４２に差し入れ、各ナット４ａの筒部４１を装着孔部１３２，２４２内に密嵌した状態で両ナット４ａ，４ｂを螺合緊締し、各連結突部１３，２４を挟圧して固定する。従って棒ボルト３の装着に際して装着孔部１３２，２４２に対して貫通装着作業を必要とせずに、容易に棒ボルト３の装着固定ができるものである。
【００２９】
所望の長さに固定した上記管継手は、内挿管１と同様の管接続部１２と外鞘管２の管接続部２２を備えた管を連続して接続することで所定の管路を構築するものである。
【００３０】
また図５乃至７は、第二の実施形態を示したもので、基本的には第一実施形態と同様に、内挿管５と内挿管５が一方の開口端（内側端）から差し込まれる外鞘管６と、シール機構部を構成する止水輪板７及びＯリング８及び連結ボルト・ナット９と、継手長を決定する棒ボルト３及び棒ボルト３が螺合される二種類のナット４ａ，４ｂとを備えるものである。
【００３１】
内挿管５は、管本体５１に管接続部５２と外鞘管６との位置固定のための連結突部５３を設けたもので、管接続部５２は、接続管と連結するためのハウジング継手用の突条であり、連結突部５３は、第一実施形態の構成と同様に、三角フランジ状で外側端近傍に周設したもので、１２０度の間隔で開口部５３１及び装着孔部５３２を設けたものである。
【００３２】
外鞘管６は、内挿管５の管本体５１が挿入され得る径を備えた管本体６１と、管本体６１の外側端に設けた管接続部６２と、管本体６１の内側端に設けた鞘管フランジ６３で構成される。
【００３３】
管接続部６２は、管本体６１と一体に接続（溶接）した接続管（内挿管５と同一管径）６２１と、ハウジング継手用の突条６２２からなる。
【００３４】
鞘管フランジ６３は、１２０度の位置に開口部６３１と装着孔部６３２を設け、装着孔部６３２の間に連結透孔６３３を設けたものである。尚鞘管フランジ６３の内周端縁は傾斜面に形成してＯリング８の装着受部６３４としてなる。
【００３５】
止水輪板７は、前記鞘管フランジ６３と同様に開口部７１と装着孔部７２と連結透孔７３を設けたものである。
【００３６】
尚鞘管フランジ６３と止水輪板７における一方の装着孔部（６３２，７２）は、開口部（６３１，７１）より大径とせずに同一径で良い。
【００３７】
而して上記構成の管長調整継手は、外鞘管６への内挿管５の差込深さの設定によって所望の継手長が得られることは第一実施形態と同様で、所望長の位置で開口部５３１，６３１，７１を一致させるものであるが、予め内挿管５の外周にＯリング８を被せて装着受部６３４の位置に配し、且つ止水輪板７を鞘管フランジ６３に対面させておく。
【００３８】
そして棒ボルト３にナット４ａ．４ｂを予め螺合しておき、棒ボルト３を開口部５３１，６３１，７１から装着孔部５３２，６３２，７２に差し入れ、各ナット４ａの筒部４１を装着孔部５３２，７２（又は６３２）内に密嵌した状態で両ナット４ａ，４ｂを螺合緊締し、連結突部５３を挟圧して固定すると共に、対面している鞘管フランジ６３及び止水輪板７も挟圧して固定する。従って棒ボルト３の装着に際して長距離間のボルト貫通作業を必要とせずに所定の継手長の固定ができたものである。
【００３９】
また更に前記固定後に、連結透孔６３３，７３に連結ボルト・ナット９を貫通装着して、Ｏリング８を緊圧することで、内挿管５と外鞘管６の確実なシールを実現するものである。
【００４０】
尚本発明は前記実施形態に限定されるものではなく、内挿管１，５及び外鞘管２，６のシール機構部の構成及び管接続部の構成は任意に選択することができる。
【符号の説明】
【００４１】
１，５・・内挿管
１１，５１・・管本体
１２，５２・・管接続部、
１２１・・係合凹条部
１２２・・シール収納凹条部
１２３・・開口端切欠部
１２４・・リングシール
１３，５３・・連結突部
１３１，５３１・・開口部
１３２，５３２・・装着孔部
２，６・・外鞘管
２１，６１・・管本体
２２，６２・・管接続部
２２１，６２１・・接続管
２２２・・係止突部
６２２・・突条
２３・・シール機構部
２３１・・シール装着凹部
２３２・・外被筒部
２３３・・リングシール
２４・・連結突部
２４１，６３１，７１    開口部
２４２，６３２，７２    装着孔部
６３・・鞘管フランジ
６３３，７３・・連結透孔
６３４・・装着受部
７・・止水輪板
８・・Ｏリング
３・・棒ボルト
４ａ，４ｂ・・ナット
４１・・筒部
９・・連結ボルト・ナット
【図１】
2018025245.tif 000003
【図２】
2018025245.tif 000004
【図３】
2018025245.tif 000005
【図４】
2018025245.tif 000006
【図５】
2018025245.tif 000007
【図６】
2018025245.tif 000008
【図７】
2018025245.tif 000009